(57)【特許請求の範囲】
【請求項１】
他の受信機と電話回線を介して通信ネットワークに接続され、前記他の受信機で受信している放送チャンネルを、自動的に追従して選局し、前記放送チャンネルと同一の番組データを受信する受信機であって、
前記他の受信機から電話回線により通信ネットワークを介して伝達され、当該他の受信機で受信中の番組情報を含む同期受信リクエストを少なくとも含む操作指示情報を受理する指示情報受理手段と、この指示情報受理手段によって受理した操作指示情報に応じて操作される制御手段と、
受信した番組データを記録する記録手段と、
受信した番組データに含まれているインデックスデータを記録するインデックス記録手段と、を備え、
前記記録手段は、受信した番組データを常に現時点から過去一定時間長分について一時的に蓄積しておく一時蓄積用記録手段と、この一時蓄積用記録手段に蓄積した番組データを保存する保存用記録手段とを有し、
前記操作指示情報を受信して前記同期信号リクエストにより前記他の受信機の放送チャンネルと同一の番組データを受信すると共に、前記インデックスデータに基づき前記一時蓄積手段に蓄積されている番組データをその先頭から記録することを特徴とする受信機。
【発明の詳細な説明】
【０００１】
【発明の属する技術分野】
この発明は、伝達機能付受信機によって遠距離から遠隔操作される受信機に関する。
【０００２】
【従来の技術】
従来、デジタル放送番組等を放送する所定の放送チャンネルの放送データを受信する環境において利用される受信機としては、ユーザに携帯されて利用される携帯型受信機や、ユーザの自動車に搭載されて利用される自動車搭載型受信機や、ユーザの家庭内に設置されて利用される据え置き型受信機が知られている。
【０００３】
また、外出先から電話により自宅内の電気機器を操作する方法が提案されている。この方法によれば、外出先から操作対応一覧表等を参照しながら電話を操作することによって、操作内容に応じて自宅内の電気機器、例えば照明器具や空調設備や風呂の自動給湯等を操作することができるようになっている。
【０００４】
【発明が解決しようとする課題】
しかしながら、ユーザの家庭内に設置されて利用される据え置き型受信機にあっては、電源をＯＮにして起動させ、所定の放送チャンネルを選局して番組データを受信する場合には、その据え置き型受信機を直接操作するか、あるいは付属のリモートコントロール機器によって近距離から操作しなければならない。つまり、ユーザが外出先等の遠距離から据え置き型受信機を遠隔操作することはできない。
【０００５】
したがって、操作対象の据え置き型受信機が設置されている自宅等に帰宅した場合には、その屋内に入り、その据え置き型受信機を直接操作したり、あるいは付属のリモートコントロール機器によって近距離から操作したりする等して、電源をＯＮにして起動させ、所定の放送チャンネルを選局して番組データを受信するといった作業が必要であり、帰宅時から目的の放送番組を視聴するまでに手間がかかってしまうので、帰宅時から即座に放送番組を視聴することができないといった不便がある。
【０００６】
例えば、自動車搭載型受信機にて所定の放送チャンネルの番組データを受信してその放送番組を視聴している場合等において、外出先から帰宅して家庭内に設置された据え置き型受信機にて同一の放送チャンネルの放送番組を視聴するためには、帰宅時から据え置き型受信機の操作が完了するまでに時間を要するので、据え置き型受信機が設置されている自宅に帰宅しても、それまで自動車搭載型受信機にて視聴していた放送番組の続きを帰宅時から即座に視聴することはできない。
【０００７】
また、ユーザに携帯されて利用される携帯型受信機や、ユーザの自動車に搭載されて利用される自動車搭載型受信機にあっては、大きさや重量等が制限されるので、受信中に放送番組のトークや楽曲や映像シーンなどの番組データを録音／録画することができる機能を備えるものは少数である。仮に、受信中の番組データを録音／録画することができる機能を備えるものであっても、記録媒体の容量が小さいので、録音／録画が可能な時間には制限があり、多量の番組データを記録することができるような十分な記録容量を確保することが難しい。
【０００８】
したがって、携帯型受信機や自動車搭載型受信機においては、受信中の放送番組を視聴しているときに、その視聴している放送番組の番組データを録音／録画したい場合であっても、多量の番組データを自由に録音／録画することが困難である。
【０００９】
他方、据え置き型受信機にあっては、ユーザの家庭内に設置することを前提としたものであり、大きさや重量等の制限が比較的少なく十分な記録容量を確保したものが多数存在するものの、受信中の放送番組を視聴しているときに、その視聴している放送番組の番組データを録音／録画したい場合には、その家庭内に設置されている据え置き型受信機を直接操作するか、付属のリモートコントロール機器によって近距離から操作しなければならない。
【００１０】
すなわち、その家庭内に設置された据え置き型受信機は外出先等の遠距離から遠隔操作することができないので、ユーザが外出先で携帯型受信機や自動車搭載型受信機において受信中の放送番組を視聴しているときに、その視聴している放送番組の番組データを据え置き型受信機で録音／録画することができない。つまり、外出先では携帯型受信機や自動車搭載型受信機にて放送番組を単に視聴することしかできず、家庭内にいる時と同様に放送番組の番組データを自由に録音／録画することが不可能である。
【００１１】
また、外出先から電話により自宅内の電気機器を操作する方法による場合にあっても、前記したような自宅内の据え置き型受信機の操作を外出先の電話から行なうといったことは全く意図されていない。仮に、外出先から電話の操作によって据え置き型受信機を操作するようにしたとしても、操作対応一覧表等を参照しながら電話を操作しなければならず、面倒な操作手順が強いられることになるので、きわめて不利不便である。
【００１２】
本発明の目的は、他の受信機によって遠距離から遠隔操作される受信機を提供することにある。また、他の受信機によって遠距離から遠隔操作され、受信した番組データを記録することができる受信機を提供することにある。さらに、他の受信機によって遠距離から遠隔操作され、受信した番組データを記録する際に、番組データを現時点から遡って記録することができる受信機を提供することにある。そして、他の受信機によって遠距離から遠隔操作され、受信した番組データを記録する際に、記録したい放送番組におけるトークや楽曲や映像シーンなどの番組データをその先頭から記録することができる受信機を提供することにある。
【００１３】
【課題を解決するための手段】
前記した課題を解決するために本発明にかかる請求項１の伝達機能付受信機は、他の受信機と電話回線を介して通信ネットワークに接続され、前記他の受信機で受信している放送チャンネルを、自動的に追従して選局し、前記放送チャンネルと同一の番組データを受信する受信機であって、前記他の受信機から電話回線により通信ネットワークを介して伝達され、当該他の受信機で受信中の番組情報を含む同期受信リクエストを少なくとも含む操作指示情報を受理する指示情報受理手段と、この指示情報受理手段によって受理した操作指示情報に応じて操作される制御手段と、受信した番組データを記録する記録手段と、受信した番組データに含まれているインデックスデータを記録するインデックス記録手段と、を備え、前記記録手段は、受信した番組データを常に現時点から過去一定時間長分について一時的に蓄積しておく一時蓄積用記録手段と、この一時蓄積用記録手段に蓄積した番組データを保存する保存用記録手段とを有し、前記操作指示情報を受信して前記同期信号リクエストにより前記他の受信機の放送チャンネルと同一の番組データを受信すると共に、前記インデックスデータに基づき前記一時蓄積手段に蓄積されている番組データをその先頭から記録する構成とした。
【００１６】
この受信機によれば、他の受信機から伝達された操作指示情報に応じて制御手段が操作され、記録手段には番組データが記録されるようになっている。つまり、他の受信機から伝達された操作指示情報が、受信した番組データを記録させるように操作指示するための操作指示情報である場合には、その操作指示情報にしたがって、制御手段は受信した番組データを記録手段に記録させるように制御することが可能になる。
【００１７】
また、この受信機によれば、一時蓄積用記録手段には受信した番組データを常に現時点から過去一定時間長分について一時的に蓄積しておくことが可能であり、保存用記録手段には一時蓄積用記録手段に蓄積した番組データが保存されるようになっている。つまり、他の受信機から伝達された操作指示情報が番組データを記録させる際に現時点から遡って番組データを記録させるように操作指示するための操作指示情報である場合には、その操作指示情報にしたがって、制御手段は一時蓄積用記録手段に蓄積した番組データを保存用記録手段に保存させて記録するように制御することが可能になる。
【００１８】
さらに、この受信機によれば、受信した番組データに含まれているインデックスデータがインデックス記録手段に記録されるようになっている。つまり、他の受信機から伝達された操作指示情報が番組データを受信させる際に記録したい放送番組におけるトークや楽曲や映像シーンなどの番組データをその先頭から記録させるように操作指示するための操作指示情報である場合には、その操作指示情報にしたがって、制御手段は一時蓄積用記録手段に蓄積した番組データから、記録したい放送番組におけるトークや楽曲や映像シーンなどの番組データの先頭を検出し、記録したい放送番組におけるトークや楽曲や映像シーンなどの番組データをその先頭から記録させるように制御することが可能になる。
【００１９】
【発明の実施の形態】
以下、本発明の実施の形態を添付図面に基づいて説明する。
本発明の受信機が放送局から放送される番組データを受信する環境下において利用される様子についてその概要を説明する。図１は、本発明の受信機が放送局から放送される番組データを受信する環境下において利用される様子を概観した説明図である。図１においては、放送局４０から所定チャンネルで放送される番組データが、携帯型受信機（伝達機能付受信機）１０、自動車搭載型受信機（伝達機能付受信機）２０、据え置き型受信機３０等の各受信機によって受信されるようになっている。
【００２０】
この環境下においては、携帯型受信機１０および自動車搭載型受信機２０が携帯電話無線基地局や携帯電話回線網等の携帯電話回線を介して通信ネットワークＮＥＴに接続され、据え置き型受信機３０が電話回線を介して通信ネットワークＮＥＴに接続されており、携帯型受信機１０および自動車搭載型受信機２０と据え置き型受信機３０とは相互に通信することができるようになっている。また、通信ネットワークＮＥＴには課金管理センター５０が接続されており、この課金管理センター５０では必要に応じた課金処理を行なうことができるようになっている。ここで、携帯型受信機１０および自動車搭載型受信機２０は据え置き型受信機３０等の他の受信機を遠距離から操作する伝達機能付受信機であり、据え置き型受信機３０は携帯型受信機１０や自動車搭載型受信機２０等の伝達機能付受信機によって遠距離から遠隔操作される受信機である。
【００２１】
携帯型受信機１０は、ユーザに携帯されて利用されるものであって、前記したように据え置き型受信機３０等の他の受信機を遠距離から操作する伝達機能付受信機であり、放送局４０から放送される番組データを受信する機能や、受信した放送番組におけるトークや楽曲や映像シーンの番組データを音や画像として出力する機能を有しているほか、携帯電話無線基地局や携帯電話回線網等の携帯電話回線を介して通信ネットワークＮＥＴ（通信伝送路）に接続され、携帯電話等と同じように無線により据え置き型受信機３０等と通信する機能を有している。なお、この携帯型受信機１０には、大きさや重量が制限されているので十分なデータを記録しておくことができるような容量の記録手段は備えられていない。
【００２２】
自動車搭載型受信機２０は、ユーザの自動車に搭載されて利用されるものであって、前記したように据え置き型受信機３０等の他の受信機を遠距離から操作する伝達機能付受信機であり、放送局４０から放送される番組データを受信する機能や、受信した放送番組におけるトークや楽曲や映像シーンの番組データを、音や画像として出力する機能を有しているほか、携帯電話無線基地局や携帯電話回線網等の携帯電話回線を介して通信ネットワークＮＥＴに接続され、携帯電話と同じように無線により据え置き型受信機３０等と通信する機能を有している。なお、この自動車搭載型受信機２０には、大きさや重量が制限されているので十分なデータを記録しておくことができるような容量の記録手段は備えられていない。
【００２３】
据え置き型受信機３０は、ユーザの家庭内に設置されて利用されるものであって、前記したように携帯型受信機１０や自動車搭載型受信機２０等の伝達機能付受信機によって遠距離から遠隔操作される受信機であり、放送局４０から放送される番組データを受信する機能や、受信した放送番組におけるトークや楽曲や映像シーンの番組データを音や画像として出力する機能を有しているほか、電話回線を介して携帯型受信機１０や自動車搭載型受信機２０等と通信するための通信ネットワークＮＥＴに接続され、携帯型受信機１０や自動車搭載型受信機２０等と通信する機能を有している。なお、この据え置き型受信機３０には、大きさや重量の制限が少なく放送番組におけるトークや楽曲や映像シーンの番組データを記録しておくことができる記録容量を有する記録手段（後述する）が備えられている。
【００２４】
放送局４０は、地上波を直接利用したり、あるいはＢＳ／ＣＳ衛星を経由したりして、番組データを搬送する放送波を各受信機１０，２０，３０等に対して放送する。番組データは、デジタル放送規格に則りデータストリームとして放送される。このようにして放送局４０から放送された番組データのデータストリームは、前記した携帯型受信機１０、自動車搭載型受信機２０、据え置き型受信機３０等の各受信機において受信され、多重分離されて復号されることになる。
【００２５】
課金管理センター５０は、放送番組におけるトークや楽曲や映像シーンの番組データをユーザが、録音／録画する際に必要に応じて課金処理を行なうものである。例えば、放送局から放送される放送番組におけるトークや楽曲や映像シーンの番組データについては、必要に応じて無料試用期間が設定されており、ユーザが通信ネットワークＮＥＴを介して課金管理センター５０と通信し、指定の金額を支払うことによって初めて無料試用期間を超えて自由にトークや楽曲や映像シーンを利用することができるようになっている。このように課金管理センター５０は、ユーザと著作権者との間で課金処理管理を担当する。なお、各受信機１０，２０，３０と課金管理センター５０とが通信ネットワークＮＥＴを介して接続されているので、電子決済等による即時決済を行なうようにしてもよい。
【００２６】
次に、携帯型受信機１０および自動車搭載型受信機２０の詳細な構成について説明する。図２は、携帯型受信機１０および自動車搭載型受信機２０の構成を示すブロック図である。なお、携帯型受信機１０と自動車搭載型受信機２０とは、その形状や利用形態は異なるが、本発明に関わる部分の技術手段は同一であり、詳細な構成も同一である。
【００２７】
携帯型受信機１０および自動車搭載型受信機２０は、番組データを受信する受信機であって、他の受信機を操作する操作指示情報を生成し、この生成した操作指示情報を他の受信機に伝達するようにしたものである。
【００２８】
この携帯型受信機１０および自動車搭載型受信機２０は、図２に示されるように、各受信機１０，２０において主要動作を制御する主制御手段１１，２１と、番組データを受信する受信制御手段１２，２２と、各受信機１０，２０からの操作指示情報に対して据え置き型受信機３０等の他の受信機から伝達される応答情報を受理して主制御手段１１，２１に入力する入力制御手段１３，２３と、主制御手段１１，２１から出力される操作指示情報を据え置き型受信機３０に対して送出する出力制御手段１４，２４と、主制御手段１１，２１の処理手順であるメインプログラムが記録されているメインプログラム記録手段１５，２５と、番組データに含まれているインデックスデータを記録するインデックス記録手段１６，２６と、受信制御手段１２，２２にて受信された放送番組におけるトークや楽曲や映像シーンの番組データを音や画像として出力する出力手段１７，２７と、据え置き型受信機３０の動作についての指示操作が行われ、この指示操作が行なわれることにより、据え置き型受信機３０を操作する操作指示情報を生成し、この生成した操作指示情報を主制御手段１１，２１に入力するユーザ操作制御手段１８，２８とを備えている。
【００２９】
主制御手段１１，２１は、ＣＰＵ等を含み、メインプログラム記録手段１５，２５に格納されたメインプログラムにしたがって各受信機１０，２０において主要動作を制御するほか、データの転送等を行なうものである。例えば、受信制御手段１２，２２において放送チャンネルを選局して番組データを受信するように制御し、受信制御手段１２，２２にて受信した放送番組におけるトークや楽曲や映像シーンの番組データを、音や画像として出力手段１７，２７において出力するように制御する。また、ユーザ操作制御手段１８，２８で生成した操作指示情報を出力制御手段１４，２４から送出して据え置き型受信機３０に伝達したり、前記ユーザ操作制御手段１８，２８で生成した操作指示情報に対応する据え置き型受信機３０からの応答情報を入力制御手段１３，２３で受信して受理したりするように制御する。さらに、番組データに番組構成要素として含まれているインデックスデータをインデックス記録手段１６，２６に記録するように制御する。
【００３０】
受信制御手段１２，２２は、主制御手段１１，２１からの操作指示情報にしたがって所定の放送チャンネルを選局してアンテナＡＮＴを介して番組データを受信し、番組データのデータストリームを多重分離して復号するものである。この受信制御手段１２，２２で受信される番組データにはトークや楽曲や映像シーンに関するインデックスデータが番組構成要素として含まれており、主制御手段１１，２１からの操作指示情報にしたがって放送番組におけるトークや楽曲や映像シーンに関するインデックスデータがインデックス記録手段１６，２６に記録されるようになっている。
【００３１】
入力制御手段１３，２３は、この携帯型受信機１０および自動車搭載型受信機２０からの操作指示情報に対応して据え置き型受信機３０等の他の受信機から送出されて通信ネットワークＮＥＴを介して伝達された応答情報を受理し、主制御手段１１，２１に入力するものである。
【００３２】
出力制御手段１４，２４は、主制御手段１１，２１から出力される操作指示情報を通信ネットワークＮＥＴに送出し、据え置き型受信機３０等の他の受信機に対して伝達するものである。例えば、据え置き型受信機３０等の他の受信機を操作する操作指示情報、例えばWake Upリクエスト、同期受信リクエスト、録音／録画リクエスト、Sleepリクエスト等の各操作指示情報を送信して据え置き型受信機３０等の他の受信機に伝達する。
【００３３】
メインプログラム記録手段１５，２５には、各受信機１０，２０において主要動作を制御するためのメインプログラムが格納されている。このメインプログラム記録手段１５，２５に格納されているメインプログラムにしたがって各受信機１０，２０において主要動作を制御することができるようになっている。メインプログラム記録手段１５，２５のメインプログラムに含まれている制御プログラムは、例えば、受信制御手段１２，２２において放送チャンネルを選局し、番組データの受信制御を行なう制御処理、受信制御手段１２，２２にて受信したトークや楽曲や映像シーンからなる放送番組データを音や画像として出力手段１７，２７において出力制御する制御処理、ユーザ操作制御手段１８，２８で生成した操作指示情報を出力制御手段１４，２４から送出して据え置き型受信機３０に対して伝達制御する制御処理、前記ユーザ操作制御手段１８，２８からの操作指示情報に対応する据え置き型受信機３０からの応答情報を入力制御手段１３，２３で受理制御する制御処理、番組データに番組構成要素として含まれているインデックスデータをインデックス記録手段１６，２６に記録制御する制御処理等の各制御プログラムが挙げられる。
【００３４】
インデックス記録手段１６，２６には、番組データに番組構成要素として含まれるインデックスデータが記録されるようになっている。インデックス記録手段１６，２６に記録されるインデックスデータには、放送番組を構成する断片的なローカルイベントと称されるトークや楽曲や映像シーンの各々についてのさまざまな情報（例えば、開始時刻、ローカルイベント長等）が記述されている。なお、放送番組においてはトークや楽曲や映像シーンがそれぞれローカルイベントとして取り扱われている。
【００３５】
出力手段１７，２７は、主制御手段１１，２１によって制御され、受信制御手段１２，２２において受信された放送番組におけるトークや楽曲や映像シーンの番組データを音や画像としてスピーカーやディスプレイ等により出力するようにしたものである。なお、この出力手段１７，２７には、出力する画像の表示形式を調整したりするための調整部（図示せず）を設けるようにしてもよい。
【００３６】
ユーザ操作制御手段１８，２８は、ユーザによって据え置き型受信機３０等の他の受信機の動作についての指示操作が行われるものであり、この指示操作に基づいて操作指示情報を生成する。このユーザ操作制御手段１８，２８によって生成された操作指示情報は主制御手段１１，１２に入力された後、出力制御手段１４，２４に出力される。
【００３７】
このユーザ操作制御手段１８，２８において据え置き型受信機３０の動作について行われた指示操作によって生成される操作指示情報としては、他の受信機の電源をＯＮ状態にして起動させるための操作指示情報（Wake Upリクエスト）、所定の放送チャンネルを選局して番組データを受信させるための操作指示情報（同期受信リクエスト）、受信した番組データを記録させるための操作指示情報（録音／録画リクエスト）、他の受信機の電源をＯＦＦ状態にして停止させるための操作指示情報（Sleepリクエスト）等が挙げられる。また、番組データを録音／録画させる際には、現時点から番組データの録音／録画を行なわせるための操作指示情報や、現時点から遡って番組データの録音／録画を行なわせるための操作指示情報を生成するようにしてもよく、さらに録音／録画したい放送番組におけるトークや楽曲や映像シーンの番組データを先頭から録音／録画を行なわせるようにする操作指示情報を生成するようにしてもよい。なお、前記したような各操作指示情報は、図示しない任意の操作パネル上において目的の操作を入力することで、この操作パネルから入力された操作に対応して生成される。
【００３８】
このように携帯型受信機１０および自動車搭載型受信機２０によれば、ユーザ操作制御手段１８，２８での操作により据え置き型受信機３０を操作するための操作指示情報が生成され、この生成された操作指示情報を主制御手段１１，２１を介して出力制御手段１４，２４から送出し、通信ネットワークＮＥＴを介して据え置き型受信機３０に伝達するようにしているので、据え置き型受信機３０等の他の受信機を遠距離から遠隔操作することができる。
【００３９】
したがって、この遠隔操作により据え置き型受信機３０等の他の受信機において、所定の放送チャンネルを選局して番組データを受信させたり、受信させた番組データを現時点から録音／録画させたり、番組データを録音／録画する際に現時点から遡って番組データを録音／録画させたりすることができるほか、放送番組におけるトークや楽曲や映像シーンの番組データを先頭から録音／録画させることができる。
【００４０】
次に、据え置き型受信機３０の詳細な構成について説明する。
図３は、据え置き型受信機３０の構成を示すブロック図である。
【００４１】
据え置き型受信機３０は、番組データを受信する受信機であって、携帯型受信機１０や自動車搭載型受信機２０等の伝達機能付受信機によって操作され、伝達機能付受信機から通信ネットワークＮＥＴを介して伝達された操作指示情報を受理し、この受理した操作指示情報に応じて操作されるようになっている。
【００４２】
据え置き型受信機３０は、図３に示されるように、この据え置き型受信機３０の主要動作を制御する主制御手段３１と、番組データを受信する受信制御手段３２、携帯型受信機１０や自動車搭載型受信機２０等の伝達機能付受信機からの操作指示情報を受理して主制御手段３１に入力する入力制御手段３３、主制御手段３１から出力される操作指示情報を携帯型受信機１０や自動車搭載型受信機２０等の伝達機能付受信機に対して送出する出力制御手段３４、主制御手段３１の処理手順であるメインプログラムが記録されているメインプログラム記録手段３５、番組データに含まれているインデックスデータを記録するインデックス記録手段３６、受信制御手段３２にて受信した放送番組におけるトークや楽曲や映像シーンなどの番組データを音や画像として出力する出力手段３７、番組データのデータストリームを常に現時点から遡って過去一定時間長分について一時的に記録しておく一時蓄積用記録手段３８、および携帯型受信機１０や自動車搭載型受信機２０等の伝達機能付受信機からの操作指示情報に基づき一時蓄積用記録手段３８から放送番組におけるトークや楽曲や映像シーンなどの番組データを保存するために録音／録画する保存用記録手段３９を備えている。
【００４３】
主制御手段３１は、ＣＰＵ等を含み、メインプログラム記録手段３５に格納されたメインプログラムにしたがってこの据え置き型受信機３０の主要動作の制御を行なうほか、データの転送等を行なうものである。例えば、受信制御手段３２において放送チャンネルを選局して番組データを受信するように制御し、受信制御手段３２にて受信した放送番組におけるトークや楽曲や映像シーンの番組データを音や画像として出力手段３７において出力するように制御する。また、携帯型受信機１０や自動車搭載型受信機２０からの操作指示情報を入力制御手段３３で受理したり、この操作指示情報に対する応答情報を出力制御手段３４から送出して携帯型受信機１０や自動車搭載型受信機２０に伝達したりするように制御する。さらに、携帯型受信機１０や自動車搭載型受信機２０からの操作指示情報に基づき、受信制御手段３２にて受信した番組データのデータストリームを一時蓄積用記録手段３８に記録したり、この一時蓄積用記録手段３８から放送番組におけるトークや楽曲や映像シーンの番組データを保存用記録手段３９に記録したりするように制御する。さらにまた、番組データに番組構成要素として含まれているインデックスデータをインデックス記録手段３６に記録するように制御する。
【００４４】
受信制御手段３２は、主制御手段３１からの操作指示情報にしたがって所定の放送チャンネルを選局してアンテナＡＮＴを介して番組データを受信し、番組データのデータストリームを多重分離して復号するものである。この受信制御手段３２で受信される番組データにはトークや楽曲や映像シーンに関するインデックスデータが番組構成要素として含まれており、主制御手段３１からの操作指示情報にしたがって放送番組におけるトークや楽曲や映像シーンに関するインデックスデータがインデックス記録手段３６に記録されるようになっている。
【００４５】
入力制御手段３３は、通信ネットワークＮＥＴを介して接続された携帯型受信機１０や自動車搭載型受信機２０等の伝達機能付受信機から送出されて伝達された操作指示情報（Wake Upリクエスト、同期受信リクエスト、録音／録画リクエスト、Sleepリクエスト等）を受理し、主制御手段３１に入力するものである。
【００４６  】
出力制御手段３４は、主制御手段３１から出力される応答情報を通信ネットワークＮＥＴに送出し、携帯型受信機１０や自動車搭載型受信機２０等の伝達機能付受信機に対して伝達するものである。例えば、携帯型受信機１０や自動車搭載型受信機２０からの操作指示情報に対応する応答情報（例えばReadyメッセージ等）を送出して携帯型受信機１０や自動車搭載型受信機２０に伝達する。
【００４７】
メインプログラム記録手段３５には、この据え置き型受信機３０の主要動作を制御するためのメインプログラムが格納されている。このメインプログラム記録手段３５に格納されているメインプログラムにしたがって、主制御手段３１が据え置き型受信機３０の主要動作を制御することができるようになっている。このメインプログラム記録手段３５のメインプログラムに含まれている制御プログラムとしては、例えば、受信制御手段３２において放送チャンネルを選局し、番組データを受信するように制御する制御処理と、受信制御手段３２にて受信した放送番組におけるトークや楽曲や映像シーンなどの番組データを音や画像として出力手段３７に出力制御する制御処理と、携帯型受信機１０や自動車搭載型受信機２０からの操作指示情報を入力制御手段３３に受理させる制御処理と、携帯型受信機１０や自動車搭載型受信機２０からの操作指示情報に対応する応答情報を出力制御手段３４から送出して携帯型受信機１０や自動車搭載型受信機２０に伝達するように制御する制御処理と、携帯型受信機１０や自動車搭載型受信機２０からの操作指示情報に基づき、受信制御手段３２にて受信した番組データのデータストリームを一時蓄積用記録手段３８に記録したり、この一時蓄積用記録手段３８から放送番組におけるトークや楽曲や映像シーンの番組データを保存用記録手段３９に記録制御する制御処理と、番組データに番組構成要素として含まれているインデックスデータをインデックス記録手段３６に記録する制御処理等の各制御プログラムが挙げられる。
【００４８】
インデックス記録手段３６には、番組データに番組構成要素として含まれるインデックスデータが記録されるようになっている。インデックス記録手段３６に記録されるインデックスデータには、放送番組を構成する断片的なローカルイベントと称されるトークや楽曲や映像シーンについてのさまざまな情報（例えば、開始時刻、ローカルイベント長等）が記述されている。なお、番組データにおいてはトークや楽曲や映像シーンがそれぞれローカルイベントとして取り扱われている。
【００４９】
出力手段３７は、主制御手段３１によって制御され、受信制御手段３２において受信された放送番組におけるトークや楽曲や映像シーンの番組データを音や画像としてスピーカーやディスプレイ等により出力するようにしたものである。なお、この出力手段３７には、出力する画像の表示形式を調整したりするための調整部（図示せず）を設けるようにしてもよい。
【００５０】
一時蓄積用記録手段３８には、受信制御手段３２で受信された番組データのデータストリームが、常に現時点から遡って過去一定時間長分について一時的に記録されるようになっている。ここで、一時蓄積用記録手段３８において記録される蓄積時間長については任意に設定してよいが、放送番組におけるトークや楽曲や映像シーン等の所要時間（ローカルイベント長）に十分に対応することができるように設定する必要がある。例えば、この蓄積時間長が１０分間に設定されている場合、番組開始から１５分後の時点では、番組開始後５分から現時点まで、つまり番組開始後１５分までのｌ０分間分のデータストリームが記録されていることになる。また、その１分後の番組開始後１６分の時点では、番組開始後６分から番組開始後１６分までの１０分間のデータストリームが記録されているというように、常に過去一定時間長分のデータストリームが一時的に記録されるようになっている。
【００５１】
保存用記録手段３９には、放送番組におけるトークや楽曲や映像シーンの番組データが記録されるようになっている。具体的には、携帯型受信機１０および自動車搭載型受信機２０といった伝達機能付受信機からの操作指示情報（録音／録画リクエスト等）が通信ネットワークＮＥＴを経由して据え置き型受信機３０に受信され、主制御手段３１の制御により、インデックス記録手段３６に記録されたインデックスデータの内容に基づき、トークや楽曲や映像シーンの先頭を検索し、一時蓄積用記録手段３８に記録されている番組データのデータストリームおよびその後受信して一時蓄積用記録手段３８に記録される番組データのデータストリームから所定のトークや楽曲や映像シーン（ローカルイベント）の番組データが切り出されて、その先頭から末尾までが保存用記録手段３９に記録されるようになっている。このように、保存用記録手段３９は、十分なデータを記録しておくことができる記録容量の記録手段として準備されている。
【００５２】
また、録音／録画させるための操作指示情報には、現時点から録音／録画を開始するか、現時点から遡って録音／録画を開始するかについて選択できるようにすることもできる。また、現時点から遡って録音／録画を開始する場合には、どの段階まで遡って録音／録画を開始するかについて、例えば、現在受信中のトークや楽曲や映像シーンの先頭まで遡って録音／録画を開始する等といった録音／録画の遡及録画開始時点を選択するようにすることもできる。
【００５３】
この実施形態においては、前記したように、携帯型受信機１０および自動車搭載型受信機２０からの操作指示情報に対応する応答情報を出力制御手段３４から送出して通信ネットワークＮＥＴを介して携帯型受信機１０および自動車搭載型受信機２０に伝達するように構成しており、携帯型受信機１０および自動車搭載型受信機２０から据え置き型受信機３０に対する一方的な通信ではなく、携帯型受信機１０および自動車搭載型受信機２０と据え置き型受信機３０との対話型の通信が可能である。なお、応答情報が不要であれば関係する構成を除くようにしてもよく、この場合には携帯型受信機１０および自動車搭載型受信機２０から据え置き型受信機３０に対する一方的な通信となる。
【００５４】
次に、本実施形態における携帯型受信機１０および自動車搭載型受信機２０と据え置き型受信機３０との動作について説明する。図４は据え置き型受信機３０の動作を示すフローチャートであり、図５は携帯型受信機１０および自動車搭載型受信機２０の動作を示すフローチャートである。なお、本実施形態の全体動作を説明するために、図４および図５のフローチャートの各ステップを参照しながら説明する。
【００５５】
まず、図５のステップＳｂｌにおいて携帯型受信機１０および自動車搭載型受信機２０のユーザ操作制御手段１８，２８でユーザによって“同期受信スタート”の指示操作が行われると、この指示操作に応じた操作指示情報としてWake Upリクエストがユーザ操作制御手段１８，２８から主制御手段１１，２１に入力され、主制御手段１１，２１から据え置き型受信機３０に対するWake Upリクエストが出力される。
【００５６】
そして、図５のステップＳｂ２において主制御手段１１，２１から出力されたWake Upリクエストが出力制御手段１４，２４から送出され、通信ネットワークＮＥＴ（通信伝送路）を介して据え置き型受信機３０に伝達される。
【００５７】
次いで、図４のステップＳａ１において待機状態であった据え置き型受信機３０の入力制御手段３３が前記Wake Upリクエストを受理すると（図４のステップＳａ２）、受理されたWake Upリクエストが入力制御手段３３から主制御手段３１に入力され、据え置き型受信機３０は電源がＯＮの状態になって起動し（図４のステップＳａ３）、準備が整ったことを知らせて応答するために応答情報としてReadyメッセージが主制御手段３１から出力される。
【００５８】
このReadyメッセージが出力制御手段３４から送出され、通信ネットワークＮＥＴを介して携帯型受信機１０や自動車搭載型受信機２０等の伝達機能付受信機に伝達される（図４のステップＳａ４）。
【００５９】
図５のステップＳｂ３において携帯型受信機１０や自動車搭載型受信機２０は据え置き型受信機３０からのReadyメッセージを受理できなかった場合にはWake Upリクエストを据え置き型受信機３０に対して再度伝達する。
【００６０】
また、通信エラーや据え置き型受信機３０側のトラブル等により、リトライの制限（回数制限、時間制限等）を越えても携帯型受信機１０や自動車搭載型受信機２０においてReadyメッセージを受理できない場合（図５のステップＳｂｌｌ）には、出力手段１７，２７で「遠隔受信機が応答しません」等のエラーメッセージを表示した後、同期受信ではない通常の単独受信モードヘ移行する（図５のステップＳｂ１２）。
【００６１】
図５のステップＳｂ４において、携帯型受信機１０や自動車搭載型受信機２０の入力制御手段１３，２３がかかるReadyメッセージを受理すると、この受理したReadyメッセージが入力制御手段１３，２３から主制御手段１１，２１に入力される。この入力されたReadyメッセージに応答するように携帯型受信機１０や自動車搭載型受信機２０自身で受信中の番組情報を含む同期受信リクエストが操作指示情報として主制御手段１１，２１から出力され、この出力された操作指示情報を出力制御手段１４，２４から送出し、通信ネットワークＮＥＴを経由して据え置き型受信機３０に伝達される。
【００６２】
携帯型受信機１０や自動車搭載型受信機２０が、据え置き型受信機３０からのReadyメッセージを無事に受理し、同期受信リクエストを据え置き型受信機３０に対して伝達した場合には、図４のステップＳａ５においてかかる同期受信リクエストが据え置き型受信機３０の入力制御手段３３で受理され、この受理された同期受信リクエストが入力制御手段３３から出力され主制御手段３１に入力される。
【００６３】
図５のステップＳｂ５において携帯型受信機１０や自動車搭載型受信機２０では、前記した同期受信リクエストのほか、据え置き型受信機３０に対する録音／録画リクエストやSleepリクエストといった各リクエストの指示操作（ユーザ操作）が行なわれる。
【００６４】
そして、同期受信リクエストに含まれる詳細な操作指示情報により、据え置き型受信機３０においては携帯型受信機１０や自動車搭載型受信機２０で受信中の放送チャンネルを選局して同一の番組データについて同期受信を開始する（図４のステップＳａ６）。
【００６５】
据え置き型受信機３０において携帯型受信機１０や自動車搭載型受信機２０で受信中の放送チャンネルを選局して同一の番組データについて同期受信するにあたっては、同期受信リクエストに含まれる詳細な操作指示情報を主制御手段３１が解析し、この解析結果にしたがって予めメモリ（図示せず）に登録されている放送チャンネルを呼び出すことによって選局が可能であり、携帯型受信機１０や自動車搭載型受信機２０で受信中の放送チャンネルを選局するように主制御手段３１が受信制御手段３２を制御し、選局した放送チャンネルの番組データを受信することができる。
【００６６】
ユーザが携帯型受信機１０や自動車搭載型受信機２０のユーザ操作制御手段１８，２８で“受信番組の変更”の操作を行なう（図５のステップＳｂ６）度に、携帯型受信機１０や自動車搭載型受信機２０は、新たに受信された番組情報を含む同期受信リクエストを前記した順序で据え置き型受信機３０に対して伝達する（図５のステップＳｂ４）。
【００６７】
図４のステップＳａ７において据え置き型受信機３０では、携帯型受信機１０や自動車搭載型受信機２０の操作にしたがって前記した同期受信リクエストのほか、携帯型受信機１０や自動車搭載型受信機２０からの録音／録画リクエストやSleepリクエストといった各リクエストが取得される。
【００６８】
そして、据え置き型受信機３０は、再び同期受信リクエストを受信すると（図４のステップＳａ８）、リクエストに含まれる詳細な操作指示情報により、携帯型受信機１０や自動車搭載型受信機２０で受信中の放送チャンネルを選局して同一の番組データについて同期受信を再び開始する（図４のステップＳａ６）。
【００６９】
このようにして、携帯型受信機１０や自動車搭載型受信機２０で受信している放送チャンネルを据え置き型受信機３０が自動的に追従して選局して同一の番組データを受信することにより、同期受信が実現される。
【００７０】
同期受信中にユーザが携帯型受信機１０や自動車搭載型受信機２０のユーザ操作制御手段１８，２８で“録音／録画”の指示操作を行なう（図５のステップＳｂ７）と、この指示操作に応じた操作指示情報として録音／録画リクエストがユーザ操作制御手段１８，２８から主制御手段１１，２１に入力され、主制御手段１１，２１から据え置き型受信機３０に対する録音／録画リクエストが出力される。
【００７１】
そして、主制御手段１１，２１から出力された録音／録画リクエストが出力制御手段１４，２４から送出され、通信ネットワークＮＥＴを介して据え置き型受信機３０に伝達される（図５のステップＳｂ８）。
【００７２】
据え置き型受信機３０の入力制御手段３３においてかかる録音／録画リクエストを受理する（図４のステップＳａ９）と、この受信された録音／録画リクエストが入力制御手段３３から主制御手段３１に入力され、据え置き型受信機３０のインデックス記録手段３６に蓄積されているインデックスデータを参照し、一時蓄積用記録手段３８にその時点で蓄積されている番組データのデータストリームから現在受信中のトークや楽曲や映像シーンの番組データの先頭を検索し、その先頭を見つけ出す（図４のステップＳａｌ０）。
【００７３】
ここで、放送番組におけるトークや楽曲や映像シーンの番組データの先頭を見つけ出すにあたっては、インデックスデータに記述されている各ローカルイベントのインデックスデータ、例えば開始時刻、ローカルイベント長等の情報に基づいて一時蓄積用記録手段３８にその時点で蓄積されているデータストリームを現時点から過去に遡って検索し、現在受信中のトークや楽曲や映像シーンの先頭を検出することができるようになっている。
【００７４】
そして、主制御手段３１の制御により、その時点で一時蓄積用記録手段３８に記憶されているデータストリームとその後放送されるデータストリームにより現在受信中の放送番組におけるトークや楽曲や映像シーンの番組データを、先頭から末尾まで保存用記録手段３９に記録する。
【００７５】
ユーザがユーザ操作制御手段１８，２８で行なう“受信番組変更”の操作や、“録音／録画”の操作により、前記した一連の動作を携帯型受信機１０や自動車搭載型受信機２０、および据え置き型受信機３０が繰り返すことによって、据え置き型受信機３０においては、ユーザが放送番組を視聴しながら気に入ったトークや楽曲や映像シーンの番組データが順次記録されていく（図４のステップＳａ１１）。
【００７６】
ユーザがユーザ操作制御手段１８，２８で“同期受信ストップ”の指示操作を行なう（図５のステップＳｂ９）と、この指示操作が主制御手段１１，２１に入力され、入力された指示操作に応じた操作指示情報として、Sleepリクエストがユーザ操作制御手段１８，２８から主制御手段１１，２１に入力され、主制御手段１１，２１から据え置き型受信機３０に対するSleepリクエストが出力される。
【００７７】
そして、主制御手段１１，２１から出力されたSleepリクエストが出力制御手段１４，２４から送出され（図５のステップＳｂ１０）、通信ネットワークＮＥＴ（通信伝送路）を介して据え置き型受信機３０に対して伝達される。
【００７８】
据え置き型受信機３０の入力制御手段３３が、かかるSleepリクエストを受理する（図４のステップＳａ１２）と、この受理したSleepリクエストが主制御手段３１に入力され、待機状態に移行し（図４のステップＳａ１）、同期受信は終了する。
【００７９】
次に、放送中の番組と据え置き型受信機３０の一時蓄積用記録手段３８に記録されているデータの内容との関係について説明する。図６は、放送中の番組データのデータストリームと、据え置き型受信機３０の一時蓄積用記録手段３８に記録されている番組データとの関係を示す説明図である。また、図６に示されている実施形態は、長さ１時間の音声放送番組を、携帯型受信機１０や自動車搭載型受信機２０と据え置き型受信機３０とで同期受信する場合において、据え置き型受信機３０の一時蓄積用記録手段３８が、常に過去１０分間分の音声（番組データ）のデータストリームを一時的に記録するように設定されている場合である。なお、一時蓄積用記録手段３８に一時的に記録することができる時間長は任意に設定することができる。
【００８０】
この図６において、符号６０１は番組データのデータストリームであり、図示される放送番組は５つのトーク部分（トークｌ〜トーク５）、および８つの楽曲（楽曲１〜楽曲８）の各ローカルイベントから構成されている。また、符号ＴＰ１５、ＴＰ４０は、それぞれ、当該放送番組の放送開始１５分後、４０分後の時点である。
【００８１】
まず、番組の放送開始１５分後に、携帯型受信機１０や自動車搭載型受信機２０からの録音／録画リクエストを据え置き型受信機３０が受け取った場合を例に挙げて説明する。
【００８２】
このＴＰ１５の時点では、楽曲２が放送中であり、また、据え置き型受信機３０の一時蓄積用記録手段３８には、楽曲２のデータストリームが先頭から記録されている。このＴＰ１５の時点で一時蓄積用記録手段３８に記録されているデータストリームと、その後放送されるデータストリームとにより、据え置き型受信機３０においては楽曲２を先頭から未尾までを楽曲／映像シーンの保存用記録手段３９に記録することが可能である。
【００８３】
同様に、据え置き型受信機３０が番組開始４０分後に録音／録画リクエストを受け取った場合には、このＴＰ４０の時点では、楽曲６が放送中であり、据え置き型受信機３０の一時蓄積用記録手段３８には、楽曲６のデータストリームが先頭から記録されている。これにより据え置き型受信機３０においては楽曲６を先頭から末尾まで保存用記録手段３９に記録することが可能である。
【００８４】
次に、同実施形態におけるインデックスデータの内容の一例を説明する。図７は、図６に例示した番組データに含まれているインデックスデータの内容の一例を示す表である。
【００８５】
インデックスデータは、番組の時間的な構成内容を示すために番組データとともに図１に示す放送局４０から送信されるものである。このインデックスデータには、番組を構成する複数のローカルイベントのさまざまな情報が記述されている。各ローカルイベントは、番組データを断片的に区切ったものであり、本実施形態のインデックスデータにおいては、番組データのトークや楽曲や映像シーン等がローカルイベントとして取り扱われている。
【００８６】
図７において例えば楽曲２は、番組全体の開始時刻から９分３０秒後にスタートし、長さが７分３０秒間のローカルイベントである。また、この楽曲２は２週間の無料試用期間が設定されているものの、それ以降の視聴は有料であり、無料試用期間以降に視聴するためには所定の料金（例えば１００円）支払って購入する必要がある。
【００８７】
この実施形態では、各受信機１０，２０，３０が課金管理センター５０と通信ネットワークＮＥＴを介して接続されているので、電子決済等による即時決済を行なうようにすることもできる。
【００８８】
また、各受信機１０，２０，３０等においては、これらの情報を元に、ユーザに対して無料試用期間や購入に必要な金額を、出力手段１７，２７，３７で出力するようにしてもよい。
【００８９】
この発明の伝達機能付受信機は、指示情報生成手段によって他の受信機を操作する操作指示情報を生成し、この生成された操作指示情報を伝送手段によって通信伝送路を介して他の受信機に伝達し、その伝達した操作指示情報により他の受信機を操作するようにしたので、例えば所定の放送チャンネルを選局して番組データを受信するように他の受信機を遠距離から遠隔操作することができる。
【００９０】
【発明の効果】
この発明の受信機は、他の受信機から通信伝送路を介して操作指示情報が伝達されると、この操作指示情報を指示情報受理手段によって受理し、この指示情報受理手段によって受理した操作指示情報に応じて制御手段が操作されることにより他の受信機からの遠隔操作により当該受信機が操作されるようにしたので、例えば所定の放送チャンネルを選局して番組データを受信するように他の受信機によって遠距離から遠隔操作することができる。
【００９１】
さらに、他の受信機から伝達された操作指示情報が受信した番組データを記録させるように操作指示するための操作指示情報である場合には、その操作指示情報にしたがって、制御手段は受信した番組データを記録手段に記録させるように制御することが可能であり、受信した番組データを記録するように他の受信機によって遠距離から遠隔操作することができる。
【００９２】
さらにまた、他の受信機から伝達された操作指示情報が番組データを記録させる際に現時点から遡って番組データを記録させるように操作指示するための操作指示情報である場合には、その操作指示情報にしたがって、制御手段は一時蓄積用記録手段に蓄積した番組データを保存用記録手段に保存させて記録するように制御することが可能であり、受信した番組データを記録する際に、番組データを現時点から遡って記録するように他の受信機によって遠距離から遠隔操作することができる。
【００９３】
そしてさらに、他の受信機から伝達された操作指示情報が番組データを受信させる際に記録したい放送番組における楽曲や映像シーンの番組データをその先頭から記録させるように操作指示するための操作指示情報である場合には、その操作指示情報にしたがって、制御手段は一時蓄積用記録手段に蓄積した番組データから、記録したい放送番組におけるトークや楽曲や映像シーンの番組データの先頭を検出し、記録したい放送番組におけるトークや楽曲や映像シーンの番組データをその先頭から記録させるように制御することが可能であり、受信した番組データを記録する際に、記録したい放送番組におけるトークや楽曲や映像シーンの番組データをその先頭から記録するように他の受信機によって遠距離から遠隔操作することができる。
【図面の簡単な説明】
【図１】本発明の受信機が番組データを受信する環境下において利用される様子を概観した説明図である。
【図２】本発明における携帯型受信機および自動車搭載型受信機の構成を示すブロック図である。
【図３】本発明における据え置き型受信機の構成を示すブロック図である。
【図４】本発明における据え置き型受信機の動作を示すフローチャートである。
【図５】本発明における携帯型受信機および自動車搭載型受信機の動作を示すフローチャートである。
【図６】本発明における放送中の番組データのデータストリームと据え置き型受信機の一時蓄積用記録手段に記録されている番組データとの関係を示す説明図である。
【図７】本発明における図６において例示した番組データに含まれるインデックスデータの内容の一例である。
【符号の説明】
１０  携帯型受信機（伝達機能付受信機）
１１，２１  主制御手段
１２，２２  受信制御手段
１３，２３  入力制御手段
１４，２４  出力制御手段（伝達手段）
１５，２５  メインプログラム記録手段
１６，２６  インデックス記録手段
１７，２７  出力手段
１８，２８  ユーザ操作制御手段（指示情報生成手段）
２０  自動車搭載型受信機（伝達機能付受信機）
３０  据え置き型受信機（受信機）
３１  主制御手段（制御手段）
３２  受信制御手段
３３  入力制御手段（指示情報受理手段）
３４  出力制御手段
３５  メインプログラム記録手段（制御手段）
３６  インデックス記録手段
３７  出力手段
３８  一時蓄積用記録手段
３９  保存用記録手段
４０  放送局
５０  課金管理センター
ＡＮＴ  アンテナ
ＮＥＴ  通信ネットワーク（通信伝送路）
Ｓａ１〜Ｓａ１２  据え置き型受信機３０の動作過程における各ステップ
Ｓｂ１〜Ｓｂ１２  携帯型受信機１０および自動車搭載型受信機２０の動作過程における各ステップ
【図１】
0004237952.tif 000002
【図２】
0004237952.tif 000003
【図３】
0004237952.tif 000004
【図４】
0004237952.tif 000005
【図５】
0004237952.tif 000006
【図６】
0004237952.tif 000007
【図７】
0004237952.tif 000008